(57)【要約】【課題】電線のコネクタハウジングからの導出部分の折れ曲がりを防ぐことができる固定部材及び該固定部材を有するコネクタを提供する。【解決手段】コネクタ２は、ＦＦＣ１３に接続された端子金具３と該端子金具３を収容保持するコネクタハウジング４と固定部材５とを有している。固定部材５は、一端部３０ａがコネクタハウジング４に取り付けられて他端部３０ｂがＦＦＣ１３に沿って延在した固定部本体３０と、該固定部本体３０の他端部３０ｂに連設されたＦＦＣ１３を挟持する挟持部３２とを有している。挟持部３２は、前記他端部３０ｂに連なる第１平板部３３と、該第１平板部３３との間にＦＦＣ１３を挟む第２平板部３４とを有し、第１及び第２平板部３３，３４の一端部３３ａ，３４ａ同士が連結部３５により連結され且つ他端部３３ｂ，３４ｂ同士が接離可能に弾性変形自在に形成されている。【選択図】図１
2010182500.tif 000002
【特許請求の範囲】
【請求項１】
コネクタハウジングから導出された電線の導出部分を該コネクタハウジングに固定する固定部材であって、
一端部が前記コネクタハウジングに取り付けられ且つ他端部が前記コネクタハウジングから導出された電線の長手方向に沿って延在した帯板状の固定部本体と、前記固定部本体の前記他端部に連設され且つ前記電線を挟持する挟持部と、を有し、
前記挟持部が、前記固定部本体の前記他端部に連なる第１平板部と、前記第１平板部と間隔をあけて配置され且つ前記第１平板部との間に前記電線を挟む第２平板部と、これら第１及び第２平板部の前記電線の長手方向に直交する直交方向の一端部同士を連結する連結部と、を有しているとともに、前記第１及び第２平板部の前記直交方向の他端部同士が接離可能に弾性変形自在に形成されていることを特徴とする固定部材。
【請求項２】
前記第１平板部と前記第２平板部とが、前記固定部本体に近づくにしたがって徐々に厚みが増すように形成されているとともに、当該第１平板部と前記固定部本体との間に段差が設けられていることを特徴とする請求項１に記載の固定部材。
【請求項３】
電線の端末に接続される端子金具と、前記端子金具を内部に収容して保持するコネクタハウジングと、請求項１又は請求項２に記載の固定部材と、を有するコネクタであって、
前記固定部材は、前記固定部本体の前記一端部に表面から凹に形成された係止凹部を有し、
前記コネクタハウジングは、外表面から突出し且つ内側に前記固定部本体の前記一端部が挿入される空間を有するホルダと、前記ホルダに設けられ且つ前記係止凹部に係止する係止部と、を有し、
前記係止部が、一端が前記ホルダに連なり且つ他端が前記コネクタハウジングの前記外表面に接離可能な自由端となるアーム状のアーム部と、前記アーム部の他端に設けられ且つ前記係止凹部に係合する係合凸部と、を有していることを特徴とするコネクタ。
【請求項４】
前記係止凹部が、前記固定部本体の前記一端部側に、前記一端部から前記他端部に向かうにしたがって徐々に前記アーム部から離れる方向に傾斜した傾斜面を有していることを特徴とする請求項３に記載のコネクタ。
【請求項５】
前記固定部材が、前記係止部の前記係合凸部が前記係止凹部に係合した際に、前記コネクタハウジングの前記固定部本体の前記一端部が挿入される側の端部に当接するリブを有していることを特徴とする請求項４に記載のコネクタ。
【発明の詳細な説明】
【技術分野】
【０００１】
本発明は、電線の接続等に使用されるコネクタに関し、特に車両等の移動体の窓ガラス等に使用される調光ガラスに対して外部電源から電力を供給するために用いられるコネクタに関する。
【背景技術】
【０００２】
車両等の移動体の窓ガラスには、室内への日射による温度上昇の抑制や、室内を外部から視認しにくくすること等を目的として、従来から、光の透過率や着色の色調等を電気的に調整可能とする調光ガラスが用いられている。
【０００３】
前述した調光ガラスは、互いに相対する面にそれぞれ導電膜を有する２枚の合わせガラスと、該２枚の合わせガラスの間に挟まれ且つ電圧印加により光透過率を調整する調光体と、該調光体の光透過量を制御して駆動する駆動回路部と、合わせガラスに挟み込まれて外側に導出され且つ外部電源と接続されて該外部電源からの電力を駆動回路部に供給する電線と、で構成されている。
【０００４】
そして、前述した外部電源と電線とは、それぞれが備えたコネクタ同士が嵌合することにより接続されている。また、外部電源と接続される電線は、合わせガラスに挟み込むことを考慮して、ＦＦＣ（フレキシブル・フラット・ケーブル）やＦＰＣ（フレキシブル・プリント・サーキット）等の薄型のフラット回路体が用いられる。
【０００５】
しかしながら、前述した調光ガラスが車両ドアウインドウなどの可動部分に配設されている場合、外部電源と接続される電線は、調光ガラスの可動（スライド）量を吸収するために、固定されずに用いられる。このため、電線は、車両動作によって振動され、特に、外部電源に接続されたコネクタとの接続箇所に負荷がかかり、電線の接続不良や断線等による接続信頼性が低下する問題があった。
【０００６】
前述した問題を解決するために、コネクタから導出する電線を保護する電線保護具を備えたコネクタが提案されている（例えば、特許文献１参照。）。特許文献１に開示されたコネクタは、導電性の金属からなり且つ電線の端末に接続された端子金具と、絶縁性の合成樹脂からなり且つ内部に前記端子金具を収容するコネクタハウジングと、電線保護具と、を備えている。
【０００７】
電線保護具は、コネクタハウジングに取り付けられる取付部と、該取付部から前記コネクタハウジングの電線が導出された側に連設された電線保持部と、を備えている。取付部は、間隔をあけて相対し且つ互いの間にコネクタハウジングを挟む一対の固定板と、これら一対の固定板の端部同士を連結する連結部と、を備えてコ字状に形成されている。一対の固定板の各々には、コネクタハウジングの外表面から凹の係止凹部に係合する係止突起が設けられている。
【０００８】
電線保持部は、取付部の一対の固定板から電線の長手方向に沿って延出された保持部本体と、該保持部本体に取り付けられて該保持部本体との間に電線を挿通する通路を形成する係止部材と、を備えている。これら保持部本体と係止部材とは、一端部同士がヒンジを介して連結されているとともに、各々に設けられた係止部同士が係止することで互いに固定される。
【先行技術文献】
【特許文献】
【０００９】
【特許文献１】特開２００３−３０８９２０号公報
【発明の概要】
【発明が解決しようとする課題】
【００１０】
しかしながら、前述の特許文献１に開示されたコネクタは、電線保持具が電線保持部の通路と電線との間に間隙を有して該電線を保持しているため、前述した調光ガラスの製造工程において、この調光ガラスと該調光ガラスから導出された電線の端末に接続されたコネクタとを、収納袋内に収容した後に真空処理してパッケージングした場合、コネクタと電線とが互いに近づく方向に負荷がかかり、電線保持部の通路内で電線が折れ曲がってしまい、電線のコネクタとの接続不良や断線等が生じる問題があった。
【００１１】
したがって、本発明の目的は、コネクタハウジングから導出された電線の導出部分が該コネクタハウジングに対して接離する方向に変位することを抑えて、電線のコネクタハウジングからの導出部分の折れ曲がりを防ぐことができる固定部材及び該固定部材を有するコネクタを提供することにある。
【課題を解決するための手段】
【００１２】
前記課題を解決し目的を達成するために、請求項１に記載された発明は、コネクタハウジングから導出された電線の導出部分を該コネクタハウジングに固定する固定部材であって、一端部が前記コネクタハウジングに取り付けられ且つ他端部が前記コネクタハウジングから導出された電線の長手方向に沿って延在した帯板状の固定部本体と、前記固定部本体の前記他端部に連設され且つ前記電線を挟持する挟持部と、を有し、前記挟持部が、前記固定部本体の前記他端部に連なる第１平板部と、前記第１平板部と間隔をあけて配置され且つ前記第１平板部との間に前記電線を挟む第２平板部と、これら第１及び第２平板部の前記電線の長手方向に直交する直交方向の一端部同士を連結する連結部と、を有しているとともに、前記第１及び第２平板部の前記直交方向の他端部同士が接離可能に弾性変形自在に形成されていることを特徴とする固定部材である。
【００１３】
請求項２に記載された発明は、請求項１に記載の発明において、前記第１平板部と前記第２平板部とが、前記固定部本体に近づくにしたがって徐々に厚みが増すように形成されているとともに、当該第１平板部と前記固定部本体との間に段差が設けられていることを特徴とするものである。
【００１４】
請求項３に記載された発明は、電線の端末に接続される端子金具と、前記端子金具を内部に収容して保持するコネクタハウジングと、請求項１又は請求項２に記載の固定部材と、を有するコネクタであって、前記固定部材は、前記固定部本体の前記一端部に表面から凹に形成された係止凹部を有し、前記コネクタハウジングは、外表面から突出し且つ内側に前記固定部本体の前記一端部が挿入される空間を有するホルダと、前記ホルダに設けられ且つ前記係止凹部に係止する係止部と、を有し、前記係止部が、一端が前記ホルダに連なり且つ他端が前記コネクタハウジングの前記外表面に接離可能な自由端となるアーム状のアーム部と、前記アーム部の他端に設けられ且つ前記係止凹部に係合する係合凸部と、を有していることを特徴とするコネクタである。
【００１５】
請求項４に記載された発明は、請求項３に記載の発明において、前記係止凹部が、前記固定部本体の前記一端部側に、前記一端部から前記他端部に向かうにしたがって徐々に前記アーム部から離れる方向に傾斜した傾斜面を有していることを特徴とするものである。
【００１６】
請求項５に記載された発明は、請求項４に記載の発明において、前記固定部材が、前記係止部の前記係合凸部が前記係止凹部に係合した際に、前記コネクタハウジングの前記固定部本体の前記一端部が挿入される側の端部に当接するリブを有していることを特徴とするものである。
【００１７】
請求項１に記載された発明によれば、コネクタハウジングから導出された電線を挟持する挟持部が、固定部本体の他端部に連なる第１平板部と、該第１平板部との間に電線を挟む第２平板部と、これら第１及び第２平板部の電線の長手方向に直交する直交方向の一端部同士を連結する連結部とを有しているとともに、第１及び第２平板部の前記直交方向の他端部同士が接離可能に弾性変形自在に形成されているので、挟持部の弾性力によって電線を挟持することができ、コネクタハウジングから導出された電線の導出部分が該コネクタハウジングに対して接離する方向に変位することを抑えることができる。このため、コネクタハウジングと電線とが互いに接離する方向に負荷がかかった際に、電線のコネクタハウジングからの導出部分の折れ曲がりを防ぐことができる。
【００１８】
請求項２に記載された発明によれば、第１平板部と第２平板部とが、固定部本体に近づくにしたがって徐々に厚みが増すように形成されているとともに、当該第１平板部と固定部本体との間に段差が設けられているので、調光ガラス等から導出された電線の端末にコネクタが取り付けられた後に、調光ガラスと電線とコネクタとを収納袋内に収容した後に真空処理してパッケージングした場合に、コネクタハウジングと電線とが近づく方向に負荷がかかることを低減することができる。また、第１平板部と固定部本体との間の段差によって、電線のコネクタハウジングからの導出部分を挟持部の第１平板部と第２平板部との間に位置付ける際の折れ曲がりを抑えることができる。
【００１９】
請求項３に記載された発明によれば、コネクタハウジングのホルダに設けられた係止部が、一端がホルダに連なり且つ他端がコネクタハウジングの外表面に接離可能な自由端となるアーム状のアーム部と、前記アーム部の他端に設けられ且つ固定部材の係止凹部と係合する係合凸部と、を有しているので、ホルダ内に固定部材の固定部本体の一端部を挿入することで、係止部のアーム部が弾性変形して係合凸部を係止凹部と係合させることができ、係止部を係止凹部に係止することができる。
【００２０】
請求項４に記載された発明によれば、係止凹部が、固定部本体の一端部側に、該一端部から他端部に向かうにしたがって徐々にアーム部から離れる方向に傾斜した傾斜面を有しているので、ホルダ内から固定部材の固定部本体の一端部を引き抜く際に、係止部の係合凸部を傾斜面に沿ってスライドさせることができ、係止凹部と係止部の係合凸部との係合解除が容易となる。
【００２１】
請求項５に記載された発明によれば、固定部材が、係止部の係合凸部が係止凹部に係合した際に、コネクタハウジングの固定部本体の一端部が挿入される側の端部に当接するリブを有しているので、コネクタハウジングの係止部の係合凸部と固定部材の係止凹部との係合完了を目視で確認することができる。
【発明の効果】
【００２２】
以上説明したように、請求項１に記載された発明によれば、挟持部の弾性力によって電線を挟持することで、コネクタハウジングから導出された電線の導出部分が該コネクタハウジングに対して接離する方向に変位することを抑えることができるので、コネクタハウジングと電線とが互いに接離する方向に負荷がかかった際に、電線のコネクタハウジングからの導出部分の折れ曲がりを防ぐことができる。
【００２３】
このため、調光ガラス等から導出された電線の端末にコネクタが取り付けられた後に、調光ガラスと電線とコネクタとを収納袋内に収容した後に真空処理してパッケージングした場合に、コネクタハウジングと電線とが近づく方向に負荷がかかっても、電線のコネクタハウジングからの導出部分の折れ曲がりを防いで、電線の接続不良や断線を防止することができる。したがって、端子金具と電線との接続信頼性を向上させることができる。
【００２４】
請求項２に記載された発明によれば、調光ガラス等から導出された電線の端末にコネクタが取り付けられた後に、調光ガラスと電線とコネクタとを収納袋内に収容した後に真空処理してパッケージングした場合に、コネクタハウジングと電線とが近づく方向に負荷がかかることを低減することができるので、コネクタハウジングから導出された電線の導出部分が該コネクタハウジングに対して接離する方向に変位することをさらに抑えることができる。
【００２５】
また、第１平板部と固定部本体との間の段差によって、電線のコネクタハウジングからの導出部分を挟持部の第１平板部と第２平板部との間に位置付ける際の折れ曲がりを抑えることができるので、電線のコネクタハウジングからの導出部分の折れ曲がりを確実に防ぐことができる。
【００２６】
請求項３に記載された発明によれば、ホルダ内に固定部材の固定部本体の一端部を挿入することで、係止部のアーム部が弾性変形して係合凸部を係止凹部と係合させることができ、係止部を係止凹部に係止することができる。このため、容易に固定部材をコネクタハウジングに取り付けることができ、組み付けの作業性を向上させることができる。
【００２７】
請求項４に記載された発明によれば、ホルダ内から固定部材の固定部本体の一端部を引き抜く際に、係止部の係合凸部を傾斜面に沿ってスライドさせることができるので、係止凹部と係止部の係合凸部との係合解除が容易となる。このため、固定部材をコネクタハウジングから容易に取り外すことができる。したがって、必要に応じてコネクタハウジングに対して固定部材を着脱することができるとともに、固定部材の再利用が可能となる。
【００２８】
請求項５に記載された発明によれば、コネクタハウジングの係止部の係合凸部と固定部材の係止凹部との係合完了を目視で確認することができるので、固定部材をコネクタハウジングに確実に取り付けることができる。
【図面の簡単な説明】
【００２９】
【図１】本発明の一実施形態にかかるコネクタを分解して示す斜視図である。
【図２】図１に示されたコネクタに電線が取り付けられた状態を示す斜視図である。
【図３】図２に示されたコネクタのコネクタハウジングに固定部材が取り付けられた状態を示す平面図である。
【図４】図３中のＩＶ−ＩＶ線に沿う断面図である。
【図５】図１に示された固定部材の他の実施形態を示す斜視図である。
【図６】図５に示された固定部材をコネクタハウジングに取り付けた状態を示す断面図である。
【発明を実施するための形態】
【００３０】
以下、本発明の一実施形態にかかるコネクタを、図１乃至図４を参照して説明する。本発明の一実施形態にかかるコネクタ２は、例えば、車両等の移動体のドアウインド等に用いられる調光ガラス１と図示しない外部電源とを接続するために用いられる。
【００３１】
調光ガラス１は、移動体としての自動車のドア等に取り付けられて、車内に入射する太陽光の透過率を調整する。調光ガラス１は、図１に示すように、合わせガラス１０と、該合わせガラス１０の間に配された一対の導電膜１２と、該一対の導電膜１２に挟持された図示しない調光体と、電線としてのＦＦＣ１３（フレキシブル・フラット・ケーブル）と、を備えている。
【００３２】
合わせガラス１０は、透明で且つ平板状に形成された一対のガラス板１１ａ，１１ｂを接着剤等で重ね合わせて一体化して形成されている。これらの各ガラス板１１ａ，１１ｂは、破損時の対策として強化処理等が施されている。合わせガラス１０は、各ガラス板１１ａ，１１ｂの間に、一対の導電膜１２と、該一対の導電膜１２の間に介在する調光体と、一対の導電膜１２と電気的に接続されたＦＦＣ１３とが配されている。
【００３３】
なお、各ガラス板１１ａ，１１ｂを構成する基材については、これに限定されるものではなく、アクリルガラス等の合成樹脂からなるものでも良く、透明なものであれば良い。
【００３４】
一対の導電膜１２は、それぞれ、透明な導電性を有する材料からなり、薄膜なフィルム状に形成されている。一対の導電膜１２は、それぞれ、前述した合わせガラス１０の各ガラス板１１ａ，１１ｂの互いに相対する面と接着剤等により接着されて、該各ガラス板１１ａ，１１ｂの間に配されている。一対の導電膜１２は、互いの間に調光体（図示せず）を配して、外周が接着剤等によって接着されている。この一対の導電膜１２には、ＦＦＣ１３の一端が電気的に接続される。
【００３５】
調光体は、電圧が印加されることにより透光率が変化する各種液晶物質で平板状に形成されている。調光体は、例えば、公知であるように、液晶層をＰＥＴ（ポリエチレンテレフタレート）フィルムで挟持して形成されている。そして、調光体は、一対の導電膜１２から所定の電圧が印加されることで透明度を適宜所定値に調節して光の透過率を調節する。
【００３６】
ＦＦＣ１３は、導体１４と、該導体１４を被覆する被覆部１５と、を備えた扁平な帯状に形成されている。導体１４は、断面形状が矩形状に形成され且つ銅又は銅合金などの導電性を有する金属で構成されている。導体１４は、複数設けられており、本実施形態では２つ（図１に示す）設けられている。各導体１４は、直線状に延在し且つ互いに平行に配されている。被覆部１５は、絶縁性を有する合成樹脂等からなり、帯状に形成されている。被覆部１５は、各導体１４同士を電気的に絶縁している。
【００３７】
前述した構成のＦＦＣ１３は、一端が一対の導電膜１２と電気的に接続され且つ合わせガラス１０の各ガラス板１１ａ，１１ｂの間に挟み込まれて、各ガラス板１１ａ，１１ｂの外縁から外部に導出される。即ち、ＦＦＣ１３は、一端が合わせガラス１０の内側に挟み込まれるとともに、他端が当該合わせガラス１０の外縁から外側に導出される。そして、前記ＦＦＣ１３は、特許請求の範囲に記載の電線に相当する。
【００３８】
次に、本実施形態のコネクタ２について、図１乃至図４を参照して説明する。前述した構成の調光ガラス１のＦＦＣ１３と電気的に接続されるコネクタ２は、図１に示すように、前述したＦＦＣ１３の各導体１４とそれぞれ接続される複数の端子金具３と、該複数の端子金具３を内部に収容して保持するコネクタハウジング４と、該コネクタハウジング４に取り付けられる固定部材５と、を備えている。
【００３９】
複数の端子金具３は、本実施形態では２つ設けられているとともに、互いに平行に配されている。複数の端子金具３は、それぞれ、導電性を有する金属等で構成されており、図１に示すように、電線接続部１８と電気接触部１９とを一体に備えている。
【００４０】
電線接続部１８は、並列に配設された複数のかしめ片１８ａを有しており、複数のかしめ片１８ａが前述したＦＦＣ１３の端末をかしめることで、該ＦＦＣ１３と電気的に接続する。電気接触部１９は、略角柱状に形成されており、図示しない相手方のコネクタの端子金具と電気的及び機械的に接続する。
【００４１】
そして、前述した複数の端子金具３は、各電線接続部１８の表面にＦＦＣ１３の端末が重ねられて、各電線接続部１８の複数のかしめ片１８ａがＦＦＣ１３の端末をかしめることで、ＦＦＣ１３の各導体１４とそれぞれ接続される。こうして、複数の端子金具３は、前述した調光ガラス１の合わせガラス１０の外縁から外部に導出されたＦＦＣ１３と電気的に接続される。
【００４２】
コネクタハウジング４は、絶縁性の合成樹脂で構成されており、図１に示すように、内側に前述した複数の端子金具３を収容するハウジング本体２０と、該ハウジング本体２０の外表面２０ａから突出したホルダ２５と、該ホルダ２５に設けられ且つ固定部材５の後述する係止凹部３１に係止する係止部としての係止アーム２８と、を備えている。
【００４３】
ハウジング本体２０は、図４に示すように、端子収容部２１と、該端子収容部２１に連なるフード部２２とを一体に備えている。
【００４４】
端子収容部２１は、複数の外壁を有した箱状に形成されており、内側に前述した複数の端子金具３の主に電線接続部１８を収容する端子収容室２３が設けられている。端子収容室２３は、直線状に延在する空間であり、一端が端子収容部２１即ちハウジング本体２０の外表面に開口しているとともに、他端が該フード部２２の内部の空間と連通している。端子収容室２３の内周には、ゴム等の弾性を有する材料からなる防水栓２４（図４に示す）が設けられている。
【００４５】
防水栓２４は、端子収容室２３内に前述したＦＦＣ１３の端末と接続された複数の端子金具３の各電線接続部１８を収容した際に、ＦＦＣ１３の端末及び複数の端子金具３の電線接続部１８の外周を覆って、端子収容室２３内を密閉する。そして、防水栓２４は、ＦＦＣ１３と複数の端子金具３の電線接続部１８との接続箇所を防水する。
【００４６】
フード部２２は、端子収容部２１の外周面と同一平面となる周壁を備えて、角筒状に形成されている。フード部２２は、周壁の端子収容部２１から離れた側の端部が、当該フード部２２即ちハウジング本体２０の外表面に開口している。フード部２２は、内側に前述した複数の端子金具３の主に電気接触部１９を収容する。
【００４７】
ホルダ２５は、図１又は図４などに示すように、ハウジング本体２０の図中下方に位置する外表面２０ａから突出して設けられているとともに、ハウジング本体２０の端子収容部２１に配されている。ホルダ２５は、ハウジング本体２０の外表面２０ａから突出した複数の突出壁２６と、該複数の突出壁２６の前記外表面２０ａから離れた側の端部に連なり且つ該外表面２０ａと相対する相対壁２７（図３に示す）とを備えて、断面樋状（コ字状）に形成されている。
【００４８】
ホルダ２５は、フード部２２から離れた側の端部が、当該ホルダ２５即ちコネクタハウジング４の外表面に開口している。そして、ホルダ２５は、内側に固定部材５の後述する固定部本体３０の一端部３０ａが挿入される空間を有している。
【００４９】
また、ホルダ２５の相対壁２７には、フード部２２から離れた側の端部２５ａから略中央部に亘って当該相対壁２７が切り欠かれて形成された切欠部２７ａが設けられている。切欠部２７ａは、平面形状が略コ字状に形成されている。そして、ホルダ２５は、内側に固定部材５の後述する固定部本体３０の一端部３０ａが挿入される。
【００５０】
係止アーム２８は、図３又は図４に示すように、一端がホルダ２５の相対壁２７に設けられた切欠部２７ａのフード部２２側の内縁に連なり且つ他端が自由端となるアーム状のアーム部２９ａと、該アーム部２９ａの他端からハウジング本体２０の外表面２０ａに向かって突設された係合凸部２９ｂと、を有している。アーム部２９ａは、他端がハウジング本体２０の外表面２０ａに接離するように弾性変形自在に設けられている。
【００５１】
そして、前述した係止アーム２８は、ホルダ２５内に固定部材５の後述する固定部本体３０の一端部３０ａが挿入された際に、アーム部２９ａが他端がハウジング本体２０の外表面２０ａから離れる方向に弾性変形して、係合凸部２９ｂが固定部材５の後述する係止凹部３１と係合することで、該係止凹部３１に係止する。前記係止アーム２８は、特許請求の範囲に記載の係止部に相当する。
【００５２】
前述した構成のコネクタハウジング４は、ハウジング本体２０の端子収容部２１の端子収容室２３内に複数の端子金具３の各電線接続部１８を位置付けるとともに、ハウジング本体２０のフード部２２の内側に複数の端子金具３の各電気接触部１９を位置付けて、ハウジング本体２０内に前述したＦＦＣ１３の端末と接続された複数の端子金具３を収容する。そして、防水栓２４によって、ＦＦＣ１３の端末と接続された複数の端子金具３の各電線接続部１８を収容した端子収容室２３が密閉される。
【００５３】
こうして、コネクタハウジング４は、ＦＦＣ１３の端末と接続された複数の端子金具３を収容して保持するとともに、ハウジング本体２０の端子収容部２１側から外側にＦＦＣ１３を導出する。
【００５４】
固定部材５は、絶縁性の合成樹脂で構成されており、図１に示すように、固定部本体３０と、前述した係止アーム２８が係止される係止凹部３１（図４に示す）と、コネクタハウジング４のハウジング本体２０から導出されたＦＦＣ１３を挟持する挟持部３２と、リブ３６と、を備えている。
【００５５】
固定部本体３０は、帯板状に形成されている。固定部本体３０は、図３又は図４に示すように、長手方向の一端部３０ａがコネクタハウジング４のホルダ２５内に挿入されて該コネクタハウジング４に取り付けられると、他端部３０ｂがコネクタハウジング４から突出するとともに、コネクタハウジング４のハウジング本体２０から導出されたＦＦＣ１３の長手方向に沿って延在して配されている。
【００５６】
係止凹部３１は、図４に示すように、固定部本体３０の長手方向の一端部３０ａに設けられている。係止凹部３１は、固定部本体３０のコネクタハウジング４のハウジング本体２０から離れた側の表面３０ｃから凹に形成されている。また、係止凹部３１は、固定部本体３０の一端部３０ａ側の内面に、前記一端部３０ａから前記他端部３０ｂに向かうにしたがって徐々に前述した係止アーム２８のアーム部２９ａから離れる方向に傾斜した傾斜面３１ａが設けられている。
【００５７】
挟持部３２は、図１に示すように、固定部本体３０の長手方向の他端部３０ｂに連設されている。挟持部３２は、固定部本体３０の他端部３０ｂに連なる第１平板部３３と、該第１平板部３３と間隔をあけて相対する第２平板部３４と、これら第１及び第２平板部３３，３４の幅方向の一端部３３ａ，３４ａ同士を連結する連結部３５とを備えて、断面コ字状に形成されている。
【００５８】
第１平板部３３は、帯板状に形成され且つ固定部本体３０と同一平面となるように設けられている。第２平板部３４は、帯板状で且つ第１平板部３３の幅より若干幅狭に形成されている。第２平板部３４は、第１平板部３３と平行で且つ該第１平板部３３との間が前述したＦＦＣ１３の厚みより若干小さくなるように配されている。連結部３５は、第１及び第２平板部３３，３４の幅方向の一端部３３ａ，３４ａ同士を連結するとともに、第１及び第２平板部３３，３４の長手方向に延在している。
【００５９】
前述した構成の挟持部３２は、第１及び第２平板部３３，３４の幅方向の一端部３３ａ，３４ａ同士が連結部３５によって連結されて、これら第１及び第２平板部３３，３４の連結部３５から離れた側の他端部３３ｂ，３４ｂ同士が接離可能に弾性変形自在に形成されている。そして、挟持部３２は、幅方向の一端部３３ａ，３４ａ同士が連結部３５によって連結された第１平板部３３と第２平板部３４との間に前述したＦＦＣ１３が位置付けられて、これら第１及び第２平板部の他端部３３ｂ，３４ｂ同士が近づく方向への弾性力によって、ＦＦＣ１３を挟持する。
【００６０】
また、前述した挟持部３２の第１及び第２平板部３３，３４の幅方向は、固定部材５がコネクタハウジング４に取り付けられた際に、前述したＦＦＣ１３の長手方向に直交する直交方向と平行に配される。即ち、第１及び第２平板部３３，３４の幅方向は、特許請求の範囲に記載の電線の長手方向に直交する直交方向を成している。
【００６１】
リブ３６は、固定部本体３０の幅方向の両側部から突出して一対設けられているとともに、固定部本体３０の他端部３０ｂ側に配されている。一対のリブ３６は、固定部本体３０に設けられた係止凹部３１に前述した係止アーム２８の係合凸部２９ｂが係合した際に、前述したホルダ２５即ちコネクタハウジング４の固定部本体３０の一端部３０ａが挿入される側の端部２５ａに当接する。
【００６２】
以下、コネクタ２を調光ガラス１から導出されたＦＦＣ１３に取り付ける手順について説明する。前述したコネクタ２をＦＦＣ１３に取り付ける際には、まず、複数の端子金具３の各電線接続部１８の表面にＦＦＣ１３の端末を重ねて、該ＦＦＣ１３の端末を各電線接続部１８の複数のかしめ片１８ａがかしめることで、複数の端子金具３の各電線接続部１８とＦＦＣ１３の各導体１４とをそれぞれ電気的に接続して、複数の端子金具３をＦＦＣ１３の端末に取り付ける。
【００６３】
次に、固定部材５の挟持部３２の第１平板部と第２平板部との間にＦＦＣ１３を挟んで、該ＦＦＣ１３を挟持部３２が挟持することで、固定部材５をＦＦＣ１３に取り付ける。このとき、固定部材５の固定部本体３０がＦＦＣ１３の長手方向に沿って延在するように配される。
【００６４】
続いて、図２乃至図３に示すように、コネクタハウジング４のハウジング本体２０の端子収容部２１の端子収容室２３内に複数の端子金具３の各電線接続部１８を位置づけ且つハウジング本体２０のフード部２２内に複数の端子金具３の各電気接触部１９を位置付けて、コネクタハウジング４のハウジング本体２０内に前述したＦＦＣ１３の端末と接続された複数の端子金具３を収容するとともに、コネクタハウジング４のホルダ２５内に固定部材５の固定部本体３０の一端部３０ａが挿入されて、ホルダ２５に設けられた係止アーム２８のアーム部２９ａが弾性変形して係合凸部２９ｂが固定部本体３０に設けられた係止凹部３１に係合して、該係止凹部３１に係止アーム２８が係止することで、コネクタハウジング４に固定部材５が取り付けられる。
【００６５】
このとき、ＦＦＣ１３の端末と接続された複数の端子金具３の各電線接続部１８を収容した端子収容室２３が防水栓２４によって密閉されるとともに、固定部本体３０の一対のリブ３６がコネクタハウジング４に設けられたホルダ２５の固定部本体３０の一端部３０ａが挿入される側の端部２５ａに当接する。
【００６６】
こうして、コネクタ２は、コネクタハウジング４のハウジング本体２０内にＦＦＣ１３の端末と接続された複数の端子金具３を収容して保持するとともに、挟持部３２によりＦＦＣ１３を挟持した固定部材５がコネクタハウジング４に取り付けられることで、コネクタハウジング４のハウジング本体２０の端子収容部２１側から外側に導出されたＦＦＣ１３の導出部分１３ａをハウジング本体２０即ちコネクタハウジング４に固定して、調光ガラス１から導出されたＦＦＣ１３に取り付けられる。
【００６７】
そして、コネクタ２には、図示しない対応するメス型コネクタが接続されて、このメス型コネクタに接続された電線の先に位置する外部電源部（図示せず）によって電圧供給を受けることにより、コネクタ２及びＦＦＣ１３を経由して導電膜１２を介して調光体に電圧が供給されて、合わせガラス１０即ち調光ガラス１の調光動作が行われる。
【００６８】
前述した実施形態によれば、固定部材５のコネクタハウジング４から導出されたＦＦＣ１３を挟持する挟持部３２が、固定部本体３０の他端部３０ｂに連なる第１平板部３３と、該第１平板部３３との間にＦＦＣ１３を挟む第２平板部３４と、これら第１及び第２平板部３３，３４のＦＦＣ１３の長手方向に直交する直交方向の一端部３３ａ，３４ａ同士を連結する連結部３５とを有しているとともに、第１及び第２平板部３３，３４の前記直交方向の他端部３３ｂ，３４ｂ同士が接離可能に弾性変形自在に形成されている。
【００６９】
このため、挟持部３２の弾性力によってＦＦＣ１３を挟持することで、コネクタハウジング４から導出されたＦＦＣ１３の導出部分１３ａが該コネクタハウジング４に対して接離する方向に変位することを抑えることができるので、コネクタハウジング４とＦＦＣ１３とが互いに接離する方向に負荷がかかった際に、ＦＦＣ１３のコネクタハウジング４からの導出部分１３ａの折れ曲がりを防ぐことができる。
【００７０】
したがって、調光ガラス１から導出されたＦＦＣ１３の端末にコネクタ２が取り付けられた後に、調光ガラス１とＦＦＣ１３とコネクタ２とを収納袋内に収容した後に真空処理してパッケージングした場合に、コネクタハウジング４とＦＦＣ１３とが近づく方向に負荷がかかっても、ＦＦＣ１３のコネクタハウジング４からの導出部分１３ａの折れ曲がりを防いで、電線の接続不良や断線を防止することができ、端子金具３とＦＦＣ１３との接続信頼性を向上させることができる。
【００７１】
また、コネクタハウジング４のホルダ２５に設けられた係止アーム２８が、一端がホルダ２５に連なり且つ他端がコネクタハウジング４の外表面２０ａに接離可能な自由端となるアーム状のアーム部２９ａと、前記アーム部２９ａの他端に設けられ且つ固定部材５の係止凹部３１と係合する係合凸部２９ｂと、を有している。
【００７２】
このため、ホルダ２５内に固定部材５の固定部本体３０の一端部３０ａを挿入することで、係止アーム２８のアーム部２９ａが弾性変形して係合凸部２９ｂを係止凹部３１と係合させることができ、係止アーム２８を係止凹部３１に係止することができる。したがって、容易に固定部材５をコネクタハウジング４に取り付けることができ、組み付けの作業性を向上させることができる。
【００７３】
さらに、係止凹部３１が、固定部材５の固定部本体３０の一端部３０ａ側に、該一端部３０ａから他端部３０ｂに向かうにしたがって徐々にアーム部２９ａから離れる方向に傾斜した傾斜面３１ａを有している。
【００７４】
このため、ホルダ２５内から固定部材５の固定部本体３０の一端部３０ａを引き抜く際に、係止アーム２８の係合凸部２９ｂを傾斜面３１ａに沿ってスライドさせることができるので、係止凹部３１と係止アーム２８の係合凸部２９ｂとの係合解除が容易となり、固定部材５をコネクタハウジング４から容易に取り外すことができる。したがって、必要に応じてコネクタハウジング４に対して固定部材５を着脱することができるとともに、固定部材５の再利用が可能となる。
【００７５】
また、固定部材５が、係止アーム２８の係合凸部２９ｂが係止凹部３１に係合した際に、コネクタハウジング４に設けられたホルダ２５の固定部本体３０の一端部３０ａが挿入される側の端部２５ａに当接するリブ３６を有している。
【００７６】
このため、コネクタハウジング４の係止アーム２８の係合凸部２９ｂと固定部材５の係止凹部３１との係合完了を目視で確認することができるので、固定部材５をコネクタハウジング４に確実に取り付けることができる。
【００７７】
前述した実施形態では、固定部材５が、挟持部３２の第１平板部３３と第２平板部３４とが帯板状に形成されるとともに、前記第１平板部３３が固定部本体３０の他端部３０ｂに連なり且つ該固定部本体３０と同一平面となるように設けられて構成されていた。
【００７８】
しかしながら、本発明では、図５又は図６に示すように、挟持部３２の第１平板部３３と第２平板部３４とが固定部本体３０に近づくにしたがって徐々に厚みが増すように形成され、且つ、第１平板部３３と固定部本体３０との間に段差３７が設けられて、固定部材５’が構成されていても良い。なお、図５又は図６において、前述した実施形態と同一部分には同一符号を付して説明を省略する。
【００７９】
図５又は図６に示す場合では、固定部材５’は、挟持部３２の第１平板部３３と第２平板部３４とが、固定部本体３０に近づくにしたがって徐々に厚みが増すように形成されている。第１平板部３３と第２平板部３４とは、互いに相対する側の面が平行に離間して形成されているとともに、互いに離れた側の面に、固定部本体３０から離れるにしたがって徐々に互いに近づく方向に傾斜した傾斜面３８，３９が設けられている。そして、前述した第１平板部３３と固定部本体３０との間には、段差３７が設けられている。
【００８０】
図５又は図６に示す場合によれば、固定部材５’は、第１平板部３３と第２平板部３４とが、固定部本体３０に近づくにしたがって徐々に厚みが増すように形成されているとともに、当該第１平板部３３と固定部本体３０との間に段差３７が設けられている。
【００８１】
このため、調光ガラス１等から導出されたＦＦＣ１３の端末にコネクタ２が取り付けられ後に、調光ガラス１とＦＦＣ１３とコネクタ２とを収納袋内に収容した後に真空処理してパッケージングした場合に、コネクタハウジング４とＦＦＣ１３とが近づく方向に負荷がかかり難くすることができるので、コネクタハウジング４から導出されたＦＦＣ１３の導出部分１３ａが該コネクタハウジング４に対して接離する方向に変位することをさらに抑えることができる。
【００８２】
また、第１平板部３３と固定部本体３０との間の段差３７によって、ＦＦＣ１３のコネクタハウジング４からの導出部分１３ａを挟持部３２の第１平板部３３と第２平板部３４との間に位置付ける際の折れ曲がりを抑えることができるので、ＦＦＣ１３のコネクタハウジング４からの導出部分１３ａの折れ曲がりを確実に防ぐことができる。
【００８３】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００８４】
２  コネクタ
３  端子金具
４  コネクタハウジング
５  固定部材
１３  ＦＦＣ（電線）
１３ａ  導出部分
２０ａ  外表面
２５  ホルダ
２５ａ  端部
２８  係止アーム（係止部）
２９ａ  アーム部
２９ｂ  係合凸部
３０  固定部本体
３０ａ  一端部
３０ｂ  他端部
３０ｃ  表面
３１  係止凹部
３１ａ  傾斜面
３２  挟持部
３３  第１平板部
３３ａ  一端部
３３ｂ  他端部
３４  第２平板部
３４ａ  一端部
３４ｂ  他端部
３５  連結部
３６  リブ
３７  段差
【図１】
2010182500.tif 000003
【図２】
2010182500.tif 000004
【図３】
2010182500.tif 000005
【図４】
2010182500.tif 000006
【図５】
2010182500.tif 000007
【図６】
2010182500.tif 000008